(57)【要約】      （修正有）【課題】タイトル情報とＩフレームの一覧表を表示させる指令が入力されてから一覧表が表示される時間を短縮する。【解決手段】ディスクに記録された複数の番組のタイトル情報などを含む録画内容の一覧を画面表示する装置において、前記番組を録画する毎に、前記ディスクのシステム領域の0〜15 Sectorに前記番組の開始データ位置、データサイズおよびタイトル情報を記録し、一覧表を表示する指令が入力された時、第一に前記0〜15 Sectorに記録された情報を読み取り、第二に前記0〜15 Sectorから読み取った情報に従って前記ディスクに記録された全ての番組の第一のIフレームを読み出し、タイトル番号やタイトル情報を迅速に一覧画面表示する。【選択図】図３
2006067017.tif 000002
【特許請求の範囲】
【請求項１】
ディスクに記録された複数の番組のタイトル情報などを含む録画内容の一覧を画面表示する装置において、
前記番組を録画する毎に、前記ディスクのシステム領域の0〜15 Sectorに前記番組の開始データ位置、データサイズおよびタイトル情報を記録し、
一覧表を表示する指令が入力された時、第一に前記0〜15 Sectorに記録された情報を読み取り、第二に前記0〜15 Sectorから読み取った情報に従って前記ディスクに記録された全ての番組の最初のIフレームを読み出し、前記全ての番組のタイトル情報およびIフレームの一覧を画面表示することを特徴とする録画内容表示装置。
【請求項２】
記憶媒体に記録された複数の番組のタイトル情報などを含む録画内容の一覧を画面表示する装置において、
前記番組を録画する毎に、前記記憶媒体の予め決められた記録領域に前記番組の開始データ位置、データサイズおよびタイトル情報を記録し、
一覧表を表示する指令が入力された時、第一に前記予め決められた記録領域に記録された情報を読み取り、第二に前記予め決められた記録領域から読み取った情報に従って前記記録媒体に記録された全ての番組の最初のIフレームを読み出し、前記全ての番組のタイトル情報およびIフレームの一覧を画面表示することを特徴とする録画内容表示装置。
【請求項３】
前記画面表示された全ての番組のタイトル情報およびＩフレームの一覧から所望の１つを選択する手段を有し、前記所望の１つが選択する指令が入力された時には、前記所望の一つに対応する番組を再生する事を特徴とする請求項１または２記載の録画内容表示装置。
【発明の詳細な説明】
【技術分野】
【０００１】
本発明は、光ディスクに記録されている画像に対応するタイトル情報およびＩフレームを読み出し、一覧表示させる録画内容表示装置に関する。
【背景技術】
【０００２】
今日では、例えばＤＶＤ−ＲＷのように、書込可能な大容量の光ディスクが開発され、
画像等の情報を記録し、記録された画像を再生することが行われている。記録された画像の再生に際しては、記録した画像毎にタイトルを付け、一覧表示する指令が入力された際には、記録されたタイトルおよび画像の一部を表示部に一覧表示させ、表示されているタイトルの中の１タイトルを選択することによって選択されたタイトルに対応する画像データが光ディスクより読出されて表示部に表示される。
（特許文献１参照。）。
【特許文献１】特許出願公開番号  特開2002-56658
【発明の開示】
【発明が解決しようとする課題】
【０００３】
従来技術では、図７に示すように、一覧表示の指令が入力される（Ｓ１２）と、各タイトルの最初のＩフレームの番地、サイズを解析し（Ｓ１３）、その他再生に必要な様々な情報を解析し（Ｓ１４）、DVDディスクから各タイトルの第一フレームを読み込んで（Ｓ１５）、タイトル表示をしている（Ｓ１６）。このように従来技術では、タイトルの先頭のＩフレームを位置とサイズを見つける為に、ファイル管理テーブルからVMG（ビデオマネージャ）の位置を見つけ、見つけたVMG（ビデオマネージャ）からＶＴＳ（ビデオタイトルセット）の位置を見つけ、タイトルの先頭のＶＯＢＵ（ビデオオブジェクトユニット）の位置を見つけ、そのＶＯＢＵ内のＩフレームの位置とサイズを見つけると言う非常に複雑なステップを踏まなければならなかった。このため、一覧表を表示させる指令が入力されてから実際に一覧表が表示されるまでに、複雑なステップを処理する為に、時間を要するという課題があった。なお、Ｉフレームとは１枚の画像を構成するためのキーとなるフレームであり、画像を構成する全ブロックが符号化されている。
【０００４】
本発明は、ユーザーにストレスを感じさせる事なく、タイトル情報とＩフレームの一覧表を表示させる指令が入力されてから一覧表が表示される時間を短縮する事を目的とする。
【課題を解決するための手段】
【０００５】
上記目的を達成するため、ディスクに記録された複数の番組のタイトル情報などを含む録画内容の一覧を画面表示する装置において、前記番組を録画する毎に、前記ディスクのシステム領域の0〜15 Sectorに前記番組の開始データ位置、データサイズおよびタイトル情報を記録し、一覧表を表示する指令が入力された時、第一に前記0〜15 Sectorに記録された情報を読み取り、第二に前記0〜15 Sectorから読み取った情報に従って前記ディスクに記録された全ての番組の最初のIフレームを読み出し、前記全ての番組のタイトル情報およびIフレームの一覧を画面表示する。なお、SectorとはDVDの規格上、読み書きする為の最小単位であり、0〜15 Sectorとは、システムに使用する為に確保された空の領域である。
【０００６】
また、記憶媒体に記録された複数の番組のタイトル情報などを含む録画内容の一覧を画面表示する装置において、前記番組を録画する毎に、前記記憶媒体の予め決められた記録領域に前記番組の開始データ位置、データサイズおよびタイトル情報を記録し、一覧表を表示する指令が入力された時、第一に前記予め決められた記録領域に記録された情報を読み取り、第二に前記予め決められた記録領域から読み取った情報に従って前記記録媒体に記録された全ての番組の最初のIフレームを読み出し、前記全ての番組のタイトル情報およびIフレームの一覧を画面表示する。
【０００７】
また、前記画面表示された全ての番組のタイトル情報およびＩフレームの一覧から所望の１つを選択する手段を有し、前記所望の１つが選択する指令が入力された時には、前記所望の一つに対応する番組を再生する。
【発明の効果】
【０００８】
以上説明したように、請求項１にかかる発明によれば、番組を録画する毎にディスクのシステム領域の0〜15 Sectorに前記番組の開始データ位置、データサイズおよびタイトル情報を記録し、一覧表を表示する指令が入力された時、第一に前記0〜15 Sectorに記録された情報を読み取り、第二に前記0〜15 Sectorから読み取った情報に従って前記ディスクに記録された全ての番組の最初のIフレームを読み出し、前記全ての番組のタイトル情報およびIフレームの一覧を画面表示することにより、一覧表を表示する指令が入力されてから実際に一覧表が表示されるまでの時間を短縮ることが出来、ユーザーの待ち時間に対するストレスを軽減する事が出来る。
請求項２にかかる発明によれば、番組を録画する毎に、記憶媒体の予め決められた記録領域に前記番組の開始データ位置、データサイズおよびタイトル情報を記録し、一覧表を表示する指令が入力された時、第一に前記予め決められた記録領域に記録された情報を読み取り、第二に前記予め決められた記録領域から読み取った情報に従って前記記録媒体に記録された全ての番組の最初のIフレームを読み出し、前記全ての番組のタイトル情報およびIフレームの一覧を画面表示することにより、請求項１と同様に、一覧表を表示する指令が入力されてから実際に一覧表が表示されるまでの時間を短縮ることが出来、ユーザーの待ち時間に対するストレスを軽減する事が出来る。
請求項３にかかる発明によれば、  画面表示された全ての番組のタイトル情報およびＩフレームの一覧から所望の１つを選択する手段を有し、前記所望の１つが選択する指令が入力された時には、前記所望の一つに対応する番組を再生する事により、ユーザーが所望する番組を簡単に選択し、再生する事が出来る。
【発明を実施するための最良の形態】
【０００９】
以下、本願発明の実施形態について図を参照して説明する。
図１は、本願発明の実施形態に係るDVDレコーダを例にしたブロック図を示す。録画の場合、アンテナ１より受信された信号はチューナ２にて同調され、A/D変換部3にてデジタル信号に変換され、エンコーダ４にて符号化され、書込/読出制御部9で制御されて記憶媒体ディスク5に記録される。この時、入力部13からユーザーによりタイトル情報（タイトル名、録画品質モード等）が入力され、ＣＰＵ11を介して書込/読出制御部9の制御によって記憶媒体ディスク5に書き込まれる。次に一覧表を表示する場合、入力部13よりユーザーから一覧表示の命令が入力され、ＣＰＵ11を介して書込/読出制御部9の制御によって記録媒体ディスク5のシステム領域0〜15Sectorから各タイトルの最初の映像の位置、サイズおよびタイトル情報を読出し、デコーダ８によって複合化され、D/A変換部7にてアナログ信号に変換され、出力部6から出力された映像信号が表示部10に表示される。
【００１０】
図２は、本願発明の実施形態に係る一覧表示画面を示す。７は映像表示装置のモニター上に表示された一覧表示である。８は記録されたタイトルの何番目のタイトル数かを示しており、９は表示されたタイトルの画像データの第一のＩフレームを表し、１０はタイトル名、記録時間、記録開始時間、チャンネル番号、録画画質モード等の表示されたタイトル情報を表す。
【００１１】
図３は、本願発明の実施形態に係る記録媒体へのタイトル情報記録状態を示す。１１はDVD−R、DVD＋Ｒ、DVD−ＲＷ、DVD+RW等の記録媒体であるDVDディスク上に記録されたデータ情報の記録構成を表す。１２はシステム領域０〜１５Sectorを表し、これらSectorに記録媒体に記録された各タイトルの第一のIフレームの位置及びサイズとタイトル名、記録時間、記録開始時間、チャンネル番号、録画画質モード等のタイトル情報が記録される。Sectorの記憶容量は、１Sector当たり、2048バイトあり、０〜１５Sectorでは2048バイト×１６の32468バイトの容量が有り、DVD規格の１ディスク当たり最高９９のタイトルを記録したとしても、前記各タイトルの第一のIフレームの位置及びサイズとタイトル名、記録時間、記録開始時間、チャンネル番号、録画画質モード等のタイトル情報を記録するには充分の容量である。
【００１２】
図４は、本願発明の実施形態に係る０〜１５Sectorに情報を書き込むフォローチャートを示す。１タイトルの録画が終了する際に（Ｓ１）、タイトルの第一のＩフレームの位置、サイズとタイトル情報を含む情報テーブルを作成する（Ｓ２）。次にDVDディスクの０〜１５Sectorの指定Sectorに前記Ｓ２で作成した情報テーブルを記録し（Ｓ３）、録画を終了する（Ｓ４）。
【００１３】
図５は、本願発明の実施形態に係るDVDレコーダ起動時のフローチャートを示す。電源オンにてDVDレコーダを起動（Ｓ５）し、前記００１２項で記録されたDVDディスクを挿入した際に、ディスク上の０〜１５Sectorの指定Sectorに記録された情報テーブルを図１のメモリ６に書き込み（Ｓ６）、起動終了する（Ｓ５）。
【００１４】
図６は、本願発明の実施形態に係る一覧表示を実行するためのフローチャートを示す。一覧表示の指令が入力され（Ｓ８）、図１のメモリ６の情報テーブルから各タイトルの第一のＩフレームの位置、サイズを確定及び認識し（Ｓ９）、DVDディスクから各タイトルの第一のＩフレームの画像データを読み、各タイトル画面とタイトル情報を表示装置に表示し（Ｓ１０）、一覧表示終了する（Ｓ１１）。
【図面の簡単な説明】
【００１５】
【図１】本願発明の実施形態に係るDVDレコーダを例にしたブロック図を示す。
【図２】本願発明の実施形態に係る一覧表示画面を示す。
【図３】本願発明の実施形態に係る記録媒体へのタイトル情報記録状態を示す。
【図４】本願発明の実施形態に係る０〜１５Sectorに情報を書き込むフォローチャートを示す。
【図５】本願発明の実施形態に係るDVDレコーダ起動時のフローチャートを示す。
【図６】本願発明の実施形態に係る一覧表示を実行するためのフローチャートを示す。
【図７】従来技術の一覧表示に係るフローチャートを示す。
【符号の説明】
【００１６】
１：アンテナ
２：チューナ
３：アナログデジタル変換部
４：エンコーダ
５：記録媒体（ディスク）
６：信号出力部
７：デジタルアナログ変換部
８：デコーダ
９：書込/読込制御部
１０：表示部
１１：ＣＰＵ
１２：ＲＯＭ
１３：入力部
１４：ＲＡＭ
１５：タイトルメニュー表示画面
１６：タイトル名
１７：Ｉフレーム画像
１８：タイトル情報
１９：データ情報の記録構成
２０：システム領域０〜１５Sector
【図１】
2006067017.tif 000003
【図２】
2006067017.tif 000004
【図３】
2006067017.tif 000005
【図４】
2006067017.tif 000006
【図５】
2006067017.tif 000007
【図６】
2006067017.tif 000008
【図７】
2006067017.tif 000009